(57)【特許請求の範囲】
【請求項１】
本体内部に設けた有底筒状の容器と、前記容器内の液体を加熱するための発熱体と、前記発熱体への通電を行う通電手段と、前記通電手段の制御を行う制御手段と、前記制御手段への電源としての商用交流電源を前記本体外部から内部に中継するプラグ受けからなり、
前記プラグ受け側に、前記商用交流電源に対し並列接続され、かつ制御回路用の配線板とは別体の印刷配線板に配置された電源ノイズ吸収手段を設けたジャーポット。
【請求項２】
発熱体への通電を行う通電手段は、制御回路用の配線板とは別体のプラグ受け側の印刷配線板に配置されており、商用交流電源に対し並列接続された請求項１記載のジャーポット。
【発明の詳細な説明】
【０００１】
【発明の属する技術分野】
本発明は、商用交流電源との接続を図る電源接続のプラグ受けに特徴を有するジャーポットに関するものである。
【０００２】
【従来の技術】
図６（ａ）は従来のジャーポットの回路ブロック図、図６（ｂ）は同部分回路図、図７は同ジャーポットの底面部の内部配線図である。
【０００３】
図６において、９はジャーポットであり、商用交流電源１は電源プラグ２を介して、プラグ受け３のプラグ受け用の端子３４ａ，３４ｂに接続され、商用交流電源１の片側は、温度ヒューズ４を経由して制御回路８のａ端子に接続され、商用交流電源１の他側は、中継ターミナル１０４ａを経由して制御回路８のｅ端子に接続されている。
【０００４】
そして、発熱体５の共通端子は中継ターミナル１０４ａに接続され、主発熱体５１は中継ターミナル１０４ｂを介して制御回路８のｂ端子に接続されており、かつ通電素子６１により制御される。
【０００５】
また、副発熱体５２は制御回路８のｃ端子に接続されており、かつ通電素子６２により制御される。
【０００６】
さらに、電源ノイズ吸収手段３１と電流ヒューズ３２は、制御回路８のａ端子とｅ端子の間に商用交流電源１に並列に接続される（つまり、前記電源ノイズ吸収手段３１と電流ヒューズ３２は制御回路８の中に配設されている）。
【０００７】
実装配線においても図７のように、プラグ受け３からの内部配線は、中継台１００を経由して制御回路用の配線板８５に接続される。
【０００８】
【発明が解決しようとする課題】
しかしながら前記従来のジャーポットにおいては、プラグ受け３から電源ノイズ吸収手段３１までの商用交流電源にはノイズが含まれており、制御回路８への温度センサ１１の内部配線やジャーポット９の鼻先に配置される操作表示用の配線板の内部配線にノイズが乗り易く、回路の誤動作や動作の停止を誘発するという課題を有していた。
【０００９】
さらに制御回路用の配線板をジャーポット９の鼻先に配置しているジャーポットは、その構成上で商用交流電源１と、内部配線とが交絡し、商用交流電源１に含まれるノイズによる影響がより顕著になり、回路の信頼性を損なう要因となっていた。
【００１０】
又中継ターミナル１０４ａ，１０４ｂや中継台１００が必要であり、内部配線が複雑になり高価となり、更に、新製品毎に制御回路用の配線板の中に電源ノイズ吸収手段３１と電流ヒューズ３２の配置をする設計が必要であり、設計の複雑さを招いていた。
【００１１】
このように制御回路用の配線板の中に電源ノイズ吸収手段３１と電流ヒューズ３２の配置をする場合、電気用品取締法等の法規制を準拠する必要から、制御回路用の配線板の配線パターンに多くの面積の確保が必要となり、制御回路用の配線板の小面積化の課題にもなっていた。
【００１２】
さらに、商用交流電源１の異なる海外に輸出しようとする場合、電源ノイズ吸収手段３１の搭載された制御回路用の配線板を各仕向け国毎の安全規格に準拠させるために、仕向け国毎に制御回路用の配線板を設計する必要があり、時間的に手間がかかっていた。
【００１３】
本発明は、このような従来の問題を解決し、商用交流電源からのノイズをプラグ受けで吸収する構成を有しているので、回路の誤動作や動作の停止を誘発することがなく、また小さい面積で制御回路用の配線板が実現でき、更に制御回路用の配線板を各仕向け国毎に設計する必要がなくなるので、回路の信頼性が高くかつ世界市場に短期間で対応できる、安価なジャーポットを提供する事を目的とするものである。
【００１４】
【課題を解決するための手段】
上記課題を解決するために本発明は、プラグ受け側に、商用交流電源に対し並列接続され、かつ制御回路用の配線板とは別体の印刷配線板に配置された電源ノイズ吸収手段を設けた構成を有するものである。
【００１５】
この本発明によれば、商用交流電源からのノイズをプラグ受けで吸収することができるので、温度センサの内部配線やジャーポットの鼻先に配置される操作表示用の配線板の内部配線にノイズが乗り難く、回路の誤動作や動作の停止を誘発することがなく、信頼性の高いジャーポットが得られる。
【００１６】
さらに、従来、制御回路用の配線板に設けていた電源ノイズ吸収手段が不要になり、制御回路用の配線板の小型化が実現できて安価なジャーポットが得られ、かつ商用交流電源からのノイズにより、電源ノイズ吸収手段が破壊した場合でも電源ノイズ吸収手段（の印刷配線板）のみ交換でき、交換費用が安いジャーポットが得られる。
【００１７】
【発明の実施の形態】
本発明の請求項１に記載の発明は、プラグ受け側に、商用交流電源に対し並列接続され、かつ制御回路用の配線板とは別体の印刷配線板に配置された電源ノイズ吸収手段を設けたものであり、商用交流電源からの電源ノイズをプラグ受けで吸収することができ、この電源ノイズをジャーポット内へ侵入させないため、ジャーポット内の回路の誤動作を防止できると共に、電源ノイズ吸収手段を別付けした制御回路用の配線板の小型化が実現でき、更に各仕向け国共通の制御回路用の配線板にできて世界市場に短期間で対応できるという作用を有する。
【００１８】
本発明の請求項２に記載の発明は、請求項１記載の発明において、発熱体への通電を行う通電手段は、制御回路用の配線板とは別体のプラグ受け側の印刷配線板に配置されており、商用交流電源に対し並列接続されたものであり、通電手段と制御手段の配置が分離でき、大きな電流が流れ発熱する通電手段の熱影響が制御手段に及ぼすことが無いという作用を有する。
【００１９】
以下、本発明の実施の形態について図１から図５を用いて説明する。
【００２０】
（実施の形態１）
図１（ａ）は本発明の第１の実施の形態におけるジャーポットの構成を示す回路ブロック図、図１（ｂ）は同ジャーポットの商用交流電源との接続構成を示す部分回路図であり、同図において、１は商用交流電源、２は商用交流電源１の延長コードに一体に形成された電源プラグである。
【００２１】
また、３は電源プラグ２が着脱自在に接続されるプラグ受け、４は温度ヒューズ、９はジャーポットである。
【００２２】
そして、プラグ受け３に、ジャーポット９外部の電源プラグ２と接続されるプラグ受け端子３４ａ，３４ｂと、ジャーポット９の内部配線のためのターミナル３３ａ〜３３ｃと、上記プラグ受け端子３４ａ，３４ｂに並列接続される電源ノイズ吸収手段３１と電流ヒューズ３２の直列体が一体に形成されて、プラグ受け部３０は構成されている。
【００２３】
以下に、図１を用いて同実施の形態における動作を説明する。
【００２４】
ジャーポット９が電源プラグ２とプラグ受け３との接続により、商用交流電源１に接続されることで、制御回路８は、容器（図示せず）内の液体の温度を有底筒状容器の裏面底に配設した温度センサ１１により検知し、制御手段７に設けたマイコン（図示せず）により、通電手段６を介して発熱体５の制御を行い、容器内の液体をカルキ抜き沸騰、保温することができる。
【００２５】
商用交流電源１には家庭内電気製品が並列接続されており、他製品からのノイズが重畳している。また自製品からもノイズが出る。このような商用交流電源１のノイズの影響を軽減する目的で、電源ノイズ吸収手段３１を商用交流電源１に並列接続し、他製品からのノイズの影響を軽減するとともに、自製品からのノイズが外に出ることを軽減している。
【００２６】
また商用交流電源１が定格ＡＣ１００Ｖの場合、誤ってＡＣ２００Ｖの電源に差し込まれた場合、電源ノイズ吸収手段３１に大きな電流が流れることで、電流ヒューズ３２が溶断し制御回路８への通電を停止し、回路動作を安全に停止する。
【００２７】
また商用交流電源１に落雷によるサージ電圧が入った場合、電源ノイズ吸収手段３１で異常電圧を吸収し、制御回路８の誤動作及び破壊を防ぐ。
【００２８】
以上のようにして得られるプラグ受け部３０は、電源ノイズ吸収手段３１を備えることで、他の家庭内電気製品や商用交流電源１からのノイズをここで吸収し、ジャーポット９への内部配線にノイズを含まないので、制御回路８に接続する温度センサ１１の内部配線やジャーポット９の鼻先に配置される操作表示用の配線板の内部配線にノイズが乗らないので、制御回路８の動作がノイズの影響を受けないという有利な効果が得られる。
【００２９】
なお、本実施の形態では電源ノイズ吸収手段３１に電圧依存性抵抗器（一般にＺＮＲと呼ぶ）を示したが、前記電圧依存性抵抗器にＡＣラインコンデンサを並列に接続すると周波数帯域の広いノイズ吸収効果が得られる。
【００３０】
さらに、マイクロギャップを形成したガス入りの放電管（一般にサージアブソーバと呼ぶ）を並列に接続すると雷サージに対する効果がある。
【００３１】
図２（ａ）は同プラグ受け部３０の構成を示す断面図である。
【００３２】
以下に、図２（ａ）を用いて同実施の形態における動作を説明する。
【００３３】
商用交流電源１は電源プラグ２に一体になっているマグネット（図示せず）により、吸着板３６と吸着し、電源プラグ２とプラグ受け端子３４（３４ａ，３４ｂ）は導通する。プラグ受け端子３４はプラグ受け３に埋め込まれており、プラグ受け端子３４の反対側はネジ３４ｃがきってある。３８は印刷配線板で、印刷配線板３８にラグ端子３７、電源ノイズ吸収手段３１がはんだ３５により接合され、電源ノイズ吸収手段３１が商用交流電源１に並列接続された回路を形成している。前記ラグ端子３７にターミナル３３を重ね、ナット３９で締結することにより、商用交流電源１を制御手段７に供給する。
【００３４】
以上のようにして得られる商用交流電源は、ノイズ成分を含まない近似正弦波で構成されているので、通過周波数帯域が狭く他の周波数帯へ影響を与えないという有利な効果が得られる。
【００３５】
なお、本実施の形態ではプラグ受け端子３４の反対側はネジがきってあるとしたが、図２（ｂ）に示すように、プラグ受け端子３４の反対側を板状に加工し、ナット部３４ｄとし、印刷配線板３８にラグ端子３７、ターミナル３３を重ね、ネジ４０で締結することにより、商用交流電源１を制御手段７に供給することでも良い。
【００３６】
図３は同印刷配線板３８の構成を示す図であり、図３（ａ）は平面図、図３（ｂ）は裏面図である。
【００３７】
以下に、図３（ａ）、図３（ｂ）を用いて同実施の形態における動作を説明する。
【００３８】
図３（ａ）において、商用交流電源１はターミナル３３により制御手段７へ供給される。つまり、ターミナル３３ａは図１に示す温度ヒューズ４を介して制御回路８のａに供給され、ターミナル３３ｂは発熱体５の共通ターミナルであり、ターミナル３３ｃは制御回路８のｄに供給される。
【００３９】
図３（ｂ）において、ターミナル３３ａとターミナル３３ｃの間に、印刷配線板３８の導体４１を介して電源ノイズ吸収手段３１が接続されている。
【００４０】
ターミナル３３ｂとターミナル３３ｃの間に電流ヒューズ３２を導体４１により構成している。この電流ヒューズ３２には通常制御回路８の数１０ｍＡの電流しか流れない。商用交流電源１に異常電圧（例えばＡＣ２００Ｖ）が入った場合、電源ノイズ吸収手段３１がショート状態となりこの電流ヒューズ３２に数Ａの電流が流れると溶断するようにしている。
【００４１】
以上のように電源ノイズ吸収手段に電流ヒューズ３２を設けることで、商用交流電源の異常電圧に対し、破壊した場合、この印刷配線板３８のみ交換することで済み、制御回路８は交換する必要が無く、経済的である。
【００４２】
なお、電流ヒューズを導体４１により構成するとしたが、汎用の電流ヒューズでも同様の効果がある。
【００４３】
又電流ヒューズを導体４１により構成するとしたが、ヒューズ抵抗器でも同様の効果がある。
【００４４】
（実施の形態２）
図４（ａ）は本発明の第２の実施の形態におけるジャーポットの構成を示す回路ブロック図、図４（ｂ）はジャーポットの商用交流電源との接続構成を示す部分回路図である。
【００４５】
図５は同形態におけるプラグ受け部の構成を示す斜視図である。
【００４６】
以下に、図４、図５を用いて同実施の形態における動作を説明する。
【００４７】
商用交流電源１はプラグ受け端子３４ａ，３４ｂに導通している。
【００４８】
そして、プラグ受け３に、主発熱体５１と通電手段６１と温度ヒューズ４の直列体が並列接続され、前記主発熱体５１と通電手段６１の直列体に並列に副発熱体５２と通電手段６２の直列体が接続され、更に前記電源ノイズ吸収手段３１と電流ヒューズ３２の直列体が並列接続されて、プラグ受け部３０は構成されている。
【００４９】
前記電源ノイズ吸収手段３１の片側から制御回路８の端子ａに接続される。前記電源ノイズ吸収手段３１と電流ヒューズ３２の直列体の中点から制御回路８の端子ｄに接続される。１２は前記制御回路８に設けた直流電源回路である。
【００５０】
上記のように、通電手段６と制御回路８との配置を分離することによって、大きな電流が流れる通電手段６の発熱が、制御回路８に影響することが無く、回路の信頼性が高くできる。更に、プラグ受け部３０と制御回路８を分離できるので、制御回路が変わっても、プラグ受け部は変える必要が無く、継続して使える。かつターミナルが２個に出来るので安価にできるという作用を有する。
【００５１】
【発明の効果】
以上のように本発明によるジャーポットは、制御回路に供給される商用交流電源にノイズが含まれないことで、誤動作の少ないジャーポットを提供できる。
【００５２】
かつプラグ受け部を独立で、交換可能に構成することで（制御回路と切り離したことで）、制御回路が変わっても、また、製品が変わっても共通に使えるという効果がある。更に制御回路用の配線板を小さくすることが出来、制御回路用の配線板を容易に鼻先に配置することが出来る。
【００５３】
また商用交流電源に異常電圧（ＡＣ２００Ｖ、雷サージ、静電気など）がかかってもプラグ受け部のみ交換すれば良く、制御回路の交換は必要ないことから市場不良対応の経済的負担を少なくできる。
【００５４】
さらに内部配線用ターミナルを設けることで、中継台を不要に出来、安価なジャーポットを提供できるという有利な効果が得られる。
【図面の簡単な説明】
【図１】（ａ）本発明の第１の実施の形態におけるジャーポットの構成を示す回路ブロック図
（ｂ）同ジャーポットの商用交流電源との接続構成を示す部分回路図
【図２】（ａ）同プラグ受け部３０の構成を示す断面図
（ｂ）同要部断面図
【図３】（ａ）同印刷配線板３８の構成を示す平面図
（ｂ）同裏面図
【図４】（ａ）本発明の第２の実施の形態におけるジャーポットの構成を示す回路ブロック図
（ｂ）同ジャーポットの商用交流電源との接続構成を示す部分回路図
【図５】同プラグ受け部３０の構成を示す斜視図
【図６】（ａ）従来の実施の形態におけるジャーポットの構成を示す回路ブロック図
（ｂ）同ジャーポットの商用交流電源との接続構成を示す部分回路図
【図７】同ジャーポットの底面実体内部配線図
【符号の説明】
１  商用交流電源
２  電源プラグ
３  プラグ受け
４  温度ヒューズ
５  発熱体
６  通電手段
７  制御手段
８  制御回路
９  ジャーポット
１２  直流電源回路
３０  プラグ受け部
３１  電源ノイズ吸収手段
３２  電流ヒューズ
３３  ターミナル
３４  プラグ受け端子
３５  はんだ
３６  吸着板
３７  ラグ端子
３８  印刷配線板
３９  ナット
４０  ネジ
４１  導体
８５  制御回路用の配線板
９１  収納部
【図１】
0003551807.tif 000002
【図２】
0003551807.tif 000003
【図３】
0003551807.tif 000004
【図４】
0003551807.tif 000005
【図５】
0003551807.tif 000006
【図６】
0003551807.tif 000007
【図７】
0003551807.tif 000008